(57)【要約】【課題】一般の人でも、市販で入手の容易な工具のみで一組の同一部品キットを使用して、多様な輪列方式や輪列配置の中から好みのものを選択し、オリジナルなムーブメントの時計を製作できる時計ムーブメント製作用の部品キットを提供する。【解決手段】工作機械での加工を必要とする部分は加工済みの部品とし、地板や輪列受けなどは平板部品とする。輪列のほぞ受け用の穴は軸間距離などを工夫して共通化を図りながら、複数の輪列方式や輪列配置に必要な穴を地板や受け用の板に設けて、一組の部品キットを使用するにもかかわらず、多数の輪列方式や輪列配置から好みのものを選択してオリジナルな時計ムーブメントを製作できるようにする。【選択図】        図７
2004154295.tif 000002
【特許請求の範囲】
【請求項１】
時計ムーブメントの部品や部材の内、輪列の各車やその他の回転体のほぞを受ける穴、またはほぞ受け部材の取り付けや位置決め用の穴などを設ける地板用の板部材および受け用の板部材に、時針および分針の回転軸位置を同一とする複数の輪列およびその他回転体の配置を構成できるように、これに必要な穴や加工形状を設けることを特徴とし、一組の部品キットを使うにもかかわらず、複数の輪列配置の中から任意にひとつの配置を選択して、ムーブメントを完成できる時計ムーブメント製作用の部品キット。
【請求項２】
時計ムーブメントの部品や部材の内、輪列の各車やその他の回転体のほぞを受ける穴、またはほぞ受け部材の取り付けや位置決め用の穴などを設ける地板用の板部材および受け用の板部材に、時針および分針の回転軸位置を同一位置とする少なくとも２種類の方式の輪列、およびこれに伴うその他の回転体が配置できる穴や加工形状を設けることを特徴とし、一組の部品キットを使うにもかかわらず、少なくとも２種類の輪列方式の輪列およびこれに伴うその他の回転体の配置の中から任意にひとつを選択してムーブメントを完成できる時計ムーブメント製作用の部品キット。（請求項１も含めて、ここで言う輪列方式とは、たとえば、時針と分針と秒針の回転軸を同心にする方式とか、秒針の回転軸心のみ別位置にする方式とか、曜日表示を追加した方式、日付表示を追加した方式などの区分を言い、単に同一方式の輪列の各車の相対位置を変えた場合は、輪列の配置の相違として記述する。）
【請求項３】
時計ムーブメントの部品や部材の内、輪列の各車やその他の回転体のほぞを受ける穴、またはほぞ受け部材の取り付けや位置決め用の穴などを設ける地板用の板部材および受け用の板部材に、時針および分針の回転軸位置を同一位置とする２種類以上の輪列方式の輪列およびこれに伴う回転体を、各方式それぞれ複数位置の輪列配置にできる穴や加工形状を設けることを特徴とし、一組の部品キットを使うにもかかわらず、２種類以上の方式の輪列とその他の回転体のそれぞれ複数の配置の中からひとつの任意の輪列方式や任意の配置を選択してムーブメントを完成できる時計ムーブメント製作用の部品キット。
【請求項４】
時針車の回転軸と２４時間で１回転する日回し車の回転軸との直線の軸間距離と、時針車と分針車の回転軸心位置とは秒針車の回転軸心位置を別にする輪列方式の場合の、分針車の回転軸と秒針車の回転軸との直線の軸間距離とが等しくなるように、関係する歯車とかなの歯車仕様と仲介の車の回転軸位置を設定することを特徴とし、地板用の板部材および受け用の板部材に設ける穴の共通使用を可能にする度合いを増して、穴の数の低減を図る、請求項１から３のいずれかの時計ムーブメント製作用の部品キット。
【請求項５】
地板用の板部材、および受け板用の板部材を曲げや段差のない穴のみの平板とするとともに、ステッピングモータの取り付け穴をそのロータの回転軸を含む一面に対して対称になるように設けることを特徴とし、道具や工具による後加工を容易にするだけではなく、地板用の板部材、および受け板用の板部材を同時に同一使用面位置にて表裏反転して使用するときに、ステッピングモータは反転せずに取り付けることが出来るようにすることで、時計としての回転方向と輪列を保つことを可能とする。この結果、反転した輪列などの配置を採れるようになり、選択できる輪列の配置の種類数を２倍にする、請求項１から４のいずれかの時計ムーブメント製作用の部品キット。
【請求項６】
日の裏車と中間車と秒針車と駆動車とステッピングモータのロータの各真となる軸部材を、焼き入れ研磨したストレートピンと、このストレートピンと板状歯車とかな用円筒状歯車とを一体とするためのスリーブ等の軸結合部材か、または、かな用円筒状歯車とスリーブを一体とした軸結合部材とに分割した構成とするとともに、少なくとも日の裏車と中間車のそれぞれの軸用のストレートピンを、同一サイズ形状とする時計ムーブメント製作用の部品キット。
【請求項７】
少なくとも、時計ムーブメントの２種類以上の輪列配置を構成出来る回転部材のほぞを受ける穴、またはほぞ受け部材の取り付けや位置決め用の穴を所要の位置及び精度に明けた地板用の板部材および受け板用の板部材と、所要の歯車仕様の歯部分と中心軸用の穴を設けた各車の歯車用の複数の板状歯車と、所要の歯車仕様の歯部分と中心軸用の穴を設けた各車のかな用の複数の円筒状歯車と、各車の真になる軸部材と、脱進調速機構を構成する要素部品または脱進調速機ブロックと、動力源の構成に必要なぜんまいあるいは電池枠等の動力源構成部品または動力源ブロックと、これらの部品に市販の一般工具を使用して装飾的な加工を施し、オリジナルな時計ムーブメントを完成するための手順や要領、あるいは注意事項などを記載した指導書よりなる時計ムーブメント製作用の部品キット。
【発明の詳細な説明】
【０００１】
【発明の属する技術分野】
本発明は、一般の人が高度な時計の要素設計を行い、更に高度な工作機械装置等を使用するなどのことなく、簡単な道具及び工具のみにて、用意された一組の部品キットより、複数の方式の輪列やその配置、さらには複数の時刻の表示形態パターンから任意のひとつを選択して、輪列を見せるスケルトン的なものも含めて、オリジナルな個性あるムーブメントの掛け時計や置き時計などを、比較的容易に製作できる時計ムーブメント製作用の部品キットに関する。
【０００２】
【従来の技術】
一般の人がオリジナルな壁掛けや置き時計を製作する場合、クオーツ式のムーブメントの完成品と時針、分針、秒針などのキットを購入し、文字板やフレーム等は市販の材料と一般的な入手しやすい道具や工具類を使用して製作することにより、文字板がオリジナルな掛け時計や、置き時計の完成品を造れるものは提供されている。
【０００３】
また、木製などを中心にムーブメントの子部品も含む部品キットも提供されているが、これは１キット一種類の既に決まったデザインの輪列配置や外観のものであり、提供された部品を組み立てて塗装などの表面処理をする程度のオリジナルな加工を追加して完成する時計部品キットである。
【０００４】
【発明が解決しようとする課題】
しかし、文字板等の外装部だけのオリジナルな製作、または決まった輪列形状デザインでのムーブメント組み立てのみの製作には満足せず、時刻などの表示も多様で装飾的なムーブメントも含めて製作するとか、あるいは好みの輪列などの機構の美しさを装飾の一部とするスケルトン的な表現のオリジナルな時計を造れる部品キットは提供されているのを見ない。そこで一般の人が作りる場合は、まず専門的な知識を必要とする歯車列の設計等を行う必要がある。
【０００５】
更に、地板や受け板に高い位置精度が要求されるほぞ受け用の穴を明ける場合や、歯車製作や真とする軸部品などを造る段階では、高度な工作機械装置を使用する必要があるので、専門の機械加工業者に図面を提出して、道具や工具の部類では製作できない部分や部品の加工を行ってもらうことが必須となる。
【０００６】
したがって、一般の人が好みの輪列のものを選択してムーブメントを作ることは、時計に関する専門知識と多大な労力や費用を要し、困難な状況にある。
【０００７】
【課題を解決するための手段】
本発明は、高度な工作機械装置などが必要な加工部分は既に行った部品や部材とする。あるいはその部分を分割し、それを加工済みの部品として供給する。
【０００８】
さらに、輪列の方式や、輪列およびその他の機構の配置を複数種から選択できるように、その構成に必要となる穴などを地板や受け板に共用化も図った上で複数組設け、より多様な輪列の形の表現を可能にする。
【０００９】
また、地板や受け板用の板部材や板状歯車は単品の平板として供給し、装飾的でオリジナルな加工を一般的な道具や工具などで容易に行えるようにする。
【００１０】
【実施例】
本案の一実施例の部品キットの各部品、部材、ブロック品を図１から図６に示す。これらの図からは市販されていて入手が容易なＪＩＳ規格部品、たとえば小ねじ、ナット、金属ワッシャなどは省いてあり、特別製のものだけを図示してある。また、同一部品を複数使用するものもあるが、個数分の図示はせず、一連のサブ記号（英小文字）を付記して以降の図と記述の中で示す。
【００１１】
図１から図３に示す地板用の下板（１）と輪列受け用の中板（２）と輪列受け用の上板（３）のこれら３枚の板には、（１９）をねじ取り付けする丸穴（ａ）と、（２７）を軽圧入で保持したり（２５）をかしめ取り付けしたり更には（１０）（１１）（１２）をねじ取り付けするなどの直径が同一の丸穴（ｂ１からｂ１３９）と、（７０）の支持軸を取り付ける丸穴（ｃ１からｃ８）と、ステッピングモータのロータ用の逃げ穴（ｄ１、ｄ２）と、（４６）用の逃げと位置決め兼用の穴（ｅ）と、（４５）の取り付け用のねじ穴（ｆ１からｆ４）を設けている。
【００１２】
（ｆ１）と（ｆ３）は（４５）の２通りの取り付けで共通使用され、（ｆ１）と（ｆ３）を結ぶ線に対して（ｆ２）と（ｆ４）は対称に配置される。
【００１３】
これらの穴はムーブメント製作上必須か、位置精度あるいは形状の寸法精度を高く要求されるものに限っている。また大きさや位置などの精度をあまり必要としない加工は、ムーブメント製作者の後加工に委ねる。
【００１４】
図４に示した部品を以下説明する。板歯車１（４）は時針と一体の回転をする時針車の歯車用であるが、これ以外に２４時間で一回転する日回し車の歯車にも使用できるようにしてあるので複数用意する。さらに、これには曜日表示の駆動に使用する場合での（６５）を駆動するための（６４）を取り付ける穴（ｇ）が設けられている。
【００１５】
板歯車２（５）は日の裏車の歯車用であり、板歯車３（６）は分針と一体の回転をする分針車の歯車用であり、さらに板歯車４（７）は分針車と時針車の仲介をする中間車の歯車用である。
【００１６】
板歯車５（８）は秒針と一体の回転をする秒針車の歯車用であり、（２９）の位置決めと回転止めを兼ねる軸対象の小穴（ｈ１，ｈ２）を設けている。
【００１７】
板歯車６（９）はステッピングモータの回転を秒針車に減速伝達する仲介用である駆動車の歯車用である。
【００１８】
支柱１（１０）は（１）と（３）とを、支柱２（１１）は（２）と（３）とを、支柱３（１２）は（１）と（２）とをそれぞれ平行な間隔を保ち相互に固定するためのものである。これらの支柱はそれぞれの固定を十分に行えるようにそれぞれ複数用意する。
【００１９】
図５に示した部品を以下説明する。歯車１（１３）は日の裏車のかな用であり、（２６）に接着し、さらに（２６）を介して（５）を結合するようにしてある。また本品は２４時表示の日回し車などへの伝達仲介をする日回し中間車の歯車としても使用するので複数用意する。
【００２０】
歯車２（１４）は分針車のかな用であり分針車用スリーブ（２１）と共に（６）を接着結合するようにしている。
【００２１】
歯車３（１５）は中間車のかな用であると共に時刻合わせの機構にも使用するので２個用意する。
【００２２】
歯車４（１６）は秒針車のかな用であり（８）をかしめ結合するように、また軸穴に（３７）あるいは（３９）を接着結合するようにしている。
【００２３】
歯車５（１７）は駆動車のかな用であり、（９）をかしめ結合するように、また軸穴に（３８）を接着結合するようにしてある。
【００２４】
歯車６（１８）はステッピングモータのロータ用であり、（２８）および（３７）を接着結合するようにしてある。
【００２５】
センタースリーブ（１９）はナット１（４８）を使用して地板の中央の穴（ａ）に取り付け、軸穴で時針車の回転支持をする。
【００２６】
時針車用スリーブ（２０）は（４）とかしめ結合出来るように成されていて、かつ軸穴で分針車の回転支持をする。
【００２７】
分針車用スリーブ（２１）は（６）とかしめ結合出来るように成されていて、かつ軸穴で秒針車の回転支持もする構造に成されている。
【００２８】
中間車用スリーブ（２２）は（７）をかしめ結合するように成していて、かつ（１５）とスラスト受けリング（２３）とスプリング受けリング（２４）などを挿入する径部を有する。更に軸穴は（３７）を接着するように成している。
【００２９】
軸受け１（２５）は秒針車、あるいは日回し車等の回転支持用に共通使用するので複数用意する。また（２）の穴（ｂ）にかしめ取り付けするように成していて（３７）（３８）および（３９）を回転支持する穴を設けている。
【００３０】
歯車１用ボス（２６）は（１３）を接着結合するように成している。また（３７）を接着結合する中心穴を有し、さらに（５）をかしめるように成し、（５）と（１３）との結合中継部材としている。
【００３１】
軸受け２（２７）は（３７）（３８）（３９）などの端部（各車などの回転体のほぞに当たる部分）を受けるピポット受けの役をするプラスチック製軸受けである。各車のほぞ受けとして共通的に使用するように成していて多数用意する。また（１）（２）（３）の丸穴（ｂ）に軽圧入で取り付けるようにしている。
【００３２】
ロータ用リング磁石（２８）は円周方向に２極着磁している。また（１８）を接着結合する軸穴を有している。
【００３３】
秒針車スラスト板ばね（２９）は薄板製ばねで（８）の小穴（ｈ１）（ｈ２）に挿入される位置決めと回転止めの役目をする曲げ突起部（ｊ１）（ｊ２）を有している。
【００３４】
圧縮ばね１（３０）は中間車のかなと歯車間に所定以上の回転力が加わった時にスリップさせるための摩擦回転トルクを得るためのものである。
【００３５】
図６に示す部品を以下説明する。時針用板（３１）は任意の装飾的形状加工が施せるように矩形の平板単品として、また時針用スリーブ（３２）をかしめ結合する穴を有している。
【００３６】
分針用板（３３）分針用スリーブ（３４）と秒針用板（３５）秒針用スリーブ（３６）はそれぞれ（３１）（３２）の場合と同じ関係を成すように構成している。また、（３５）については２４時表示と曜日表示の針にも使用するので複数用意する。
【００３７】
ストレートピン１（３７）とストレートピン２（３８）は両端部が球面であり円筒研削加工したステンレスピンである。（３７）は各車の真（回転軸）用に共通使用し複数用意する。（３８）は駆動車の真用である。秒針車用ピン（３９）は秒針の回転中心を時針および分針のそれと同軸で構成する場合に使用するピンで、一端部は球面研磨されていて、他端部は（３６）と勘合するべく一段細く成されている円筒研削加工したステンレスピンである。
【００３８】
指示針用スリーブ（４０）は（３５）にかしめ結合するように成していて、秒針の回転中心を時針および分針のそれとは別配置にする輪列方式にする場合に（３６）の代わりに使用し、（３７）と秒針を勘合するようにしている。この他に２４時表示や曜日表示にも使用するので複数用意する。
【００３９】
時刻合わせ用軸１（４１）は時刻合わせ用軸２（４２）と軸と穴の関係で勘合するように、また時刻合わせノブ（４３）圧縮ばね２（４４）などと組み合わせで時刻合わせ機構を形成するようにしている。
【００４０】
ステータ板（４５）は磁性材製であり、ステッピングモータのステータ役である。その３個の取り付け穴（ｔ１からｔ３）はロータの回転軸心位置となる線Ｗ−Ｗを含む面に対して対称に設けられている。また（４６）をコの字形の両方の腕部分どちらにも挿入できるようにしてある。
【００４１】
コイルブロック（４６）は駆動回路ブロック（４７）からのパルス電流を受け、（４５）に磁気回路を発生させる巻き線のコイルブロックである。
【００４２】
時計ムーブメント製作用の部品キットの必要最小限の部品、部材としては図１から図６に図示したもののほかに、市販されていて入手が容易なＪＩＳ規格部品などや、後述のムーブメント構成説明の中で述べる部品などがある。更に図１６に示す特殊工具、また図示は無いが、特殊接着剤、潤滑油、指導書も含む。
【００４３】
以下、前述の時計ムーブメント製作用の一組の部品キットにより製作可能な時計ムーブメントの複数の輪列方式や複数の輪列配置について、またその動作について説明する。
【００４４】
図７に時針、分針、秒針の回転軸が同心の輪列方式の複数の輪列配置を示す。輪列の各歯車やかなの歯先円等を模式的に図示し、その配置や種類数を示している。時針車の位置は（Ｍ）、分針車の位置は（Ｎ）、秒針車の位置は（Ｋ１）で示し、これらは同心である。日の裏車の位置は（Ｈ１）、中間車の位置は（Ｊ１）、駆動車の位置は（Ｌ１）、ロータの位置は（Ｐ１）で示し、これらは（Ｍ）（Ｎ）（Ｋ１）らの周囲に回転軸を置く構成である。
【００４５】
日の裏車の配置は実線で示す（Ｈ１）の位置の他に、二点差線で示す（Ｈ２）から（Ｈ５）の配置構成が出来る。中間車を実線で示す（Ｊ１）の位置にしたときは（Ｈ１）（Ｈ２）（Ｈ３）の配置が、また中間車の配置を二点差線で示す（Ｊ２）の位置に移した時には（Ｈ１）（Ｈ２）（Ｈ４）（Ｈ５）の配置が可能で、計７種類の輪列配置が出来る。このとき時刻合わせ機構は（Ｓ１）（Ｓ２）（Ｓ３）のいずれかの位置で近傍の他の車などと干渉しない位置を選び配置する。
【００４６】
更に（１）（２）（３）をそれぞれ同時に同一平面位置で表裏反転して使用することで反転した輪列配置が可能である。このときステッピングモータの回転をＣＷに保つためにステータは表裏反転せず、コイルブロックをステータの反対の腕に挿入して取り付ける。このようにすることにより合計１４種の配置を採ることが出来、これらから好みの配置を選択することが可能である。
【００４７】
さらには駆動源であり脱進調速機構であるステッピングモータは姿勢に関係なく安定に動作するので、ムーブメントは時計全体の姿勢に対して針の回転軸で回転した任意の姿勢を採れる。したがって時計の姿勢を基準とした場合には、更に多くの輪列配置が可能で、これら多くの種類から選択し時計の製作が可能である。
【００４８】
図８は秒針回転軸位置を時針および分針の回転軸の位置とは別の配置とした輪列方式での複数の輪列配置を示している。時針車の位置（Ｍ）、分針車の位置（Ｎ）は同一の回転中心で、日の裏車の位置（Ｈ１）中間車の位置（Ｊ３）はその周囲に配置し、秒針車の位置（Ｋ２）駆動車の位置（Ｌ２）ロータの位置（Ｐ２）は更にその外周に配置する。
【００４９】
日の裏車の配置は（Ｈ１）の位置のほかに二点差線で示す（Ｈ３）（Ｈ４）（Ｈ５）（Ｈ６）の配置が可能で、計５種類の輪列配置から選択可能である。この場合、時刻合わせ機構は回転軸を（Ｓ１）（Ｓ２）のいずれか他の車などと干渉しない位置を選び配置する。
【００５０】
本図の場合も図７で説明した場合と同じく（１）（２）（３）を同時にそれぞれ表裏反転して使用することにより、また針回転軸に対して回転して、任意の位置にて時計とムーブメントの相対位置を採ることが出来るので、更に多くの輪列配置の種類から選択して時計を作ることが出来る。
【００５１】
ここで（１）（２）（３）に多数設けている丸穴（ｂ）の使用区分の内容を説明する。（ｂ１）から（ｂ９）と（ｂ９０）から（ｂ９８）は日の裏車と中間車のほぞを受ける（２７）を軽圧入で保持する。
【００５２】
（ｂ５０）から（ｂ５８）は日の裏車と日回し中間車の真を通す逃げ穴であり、（ｂ１０）から（ｂ１２）は日回し中間車の下部のほぞを受ける（２７）を軽圧入で保持する。
【００５３】
（ｂ５９）から（ｂ６１）は中間車の逃げ穴の中心を示す役目と、時刻合わせ機構の軸支持をする穴である。逃げ穴として使用する場合に大きさが不十分な時は大きくして使用する必要があるが、逃げ穴であるため精度は低くてよく、穴径の拡大は製作者の後加工に委ねる。
【００５４】
（ｂ９９）から（ｂ１０１）は中間車の上部のほぞを受ける（２７）を軽圧入で保持するか、時刻合わせ機構の軸を受ける。
【００５５】
（ｂ１３）（ｂ１４）（ｂ１０４）（ｂ１０５）はロータの上下のほぞを受ける（２７）を軽圧入で保持する。
【００５６】
（ｂ１５）から（ｂ２４）、（ｂ６４）から（ｂ７３）、（ｂ１０６）から（ｂ１１５）は秒針車の上下のほぞ受けや、２４時表示、曜日表示、日付表示の機構や輪列などの構成時に主に軸受け穴として利用する。
【００５７】
（ｂ６２）（ｂ６３）（ｂ１０２）（ｂ１０３）は駆動車の上下のほぞを受ける（２７）を軽圧入で保持する。
【００５８】
その他の（ｂ）穴は（１）（２）（３）の相互の保持固定に（１０）（１１）（１２）を使用してねじ止めすることに使用する。あるいは文字板の固定やムーブメント自体の時計外装体への固定などにも使用する。
【００５９】
「その他の（ｂ）穴」と説明している穴以外の前記述の穴（ｂ）でも、使用せずに空きであれば他の輪列などと干渉しない部分は（１）（２）（３）相互の固定その他に使用できることは言うまでもない。（ｂ）穴の大半のものは輪列方式やその配置などの選択により使用しない場合もあり、必要なものだけを利用する。
【００６０】
図９から図１２は具体的な輪列の構造を示したものである。図９は図７における線Ａ−Ａに相当する部分の断面図、図１０は同じく線Ｂ−Ｂに相当する部分の断面図である。図１１は時刻合わせ機構の断面図、図１２は図８における線Ｃ−Ｃに相当する部分の断面図である。
【００６１】
ムーブメント製作時には、各針（３１）（３３）（３５）を意匠的な形状加工を施して使用するであろう。また地板や受け板も（１）（２）（３）に装飾的な彫刻や、穴あけなどの加工を施して使用するであろうが、ここではそのまま使用した形で図示している。
【００６２】
また時計の輪列構造として一般的である部分については説明を要しないであろうから、ここでは特殊な部分や特徴的な構造などについて以下に説明する。
【００６３】
図９および図１２に示している中間車の構造について説明する。（２２）に（７）をかしめると共に（３７ｂ）を所要位置に接着し一体とする。次に（３０）（２４）プラスチックワッシャ２（５５）（１５ａ）プラスチックワッシャ１（４９）（２３）を必要な潤滑処理もして順次重ねるように挿入し、これらを（３０）のスプリング力に逆らって押し込みながらＥリング（５４）で抜け止めを行う。
【００６４】
（５５）（４９）はプラスチック製等の摩擦係数が低く安定な材料を使用し（２３）と（４９）間、（２４）と（５５）間で安定な所要トルク以上でスリップする構造とする。
【００６５】
この構造は時刻合わせ時に分針車に掛かる回転力が伝達されてくるが、デリケートな秒針車以降に過大な回転力が加わり、これらが破壊しないようにするための安全機構としている。
【００６６】
図１１に示している時刻合わせ機構について説明する。この機構は中間車のかな用歯車（１５ａ）と同一歯車仕様の（１５ｂ）を（６）との噛み合わせ用の歯車として使用しているために、中間車を配置できる部分に軸の配置が可能で、他の車の配置で干渉しない場所を選び配置する。本例では（２）の穴（ｂ５９）（ｂ６０）（ｂ６１）の位置に、（３）の穴で言うと（ｂ９９）（ｂ１００）（ｂ１０１）の位置に軸を配置可能である。
【００６７】
先ず（４２）に（４１）を挿入し、（４２）の側面の長穴を通して（４１）の穴に（５１）を押し込み取り付ける。次に（３）の所定の穴に（４２）を挿入し、（４４）を挿入した上から（２）を所定の穴を通して重ねた上で、（１５ｂ）（７５）を（４１）に挿入して（５０）で締め付け（４１）と固定する。（５２）は（４２）の側面に押し付けて（７６）で取り付ける。その後（４３）を（５３）にて（４２）に固定する。
【００６８】
（４１）と（４２）が軸方向にある範囲移動する勘合をしている状態で、この移動を一方向に（４４）が付勢している目的は、時刻合わせでノブ（４３）を引っ張る操作をしたときに、歯のかみ合いが合わずに（６）に直接その力が加わり変形しないようにすることである。
【００６９】
その動作を説明する。時刻あわせをしようとして（４３）を矢印（Ｔ）の方向に引き（１５ｂ）と（６）の歯のかみ合いが合わないときに、（４４）の軽い力で（６）にあたり、回転操作でかみ合い位置になったとき矢印（Ｕ）の移動を完結する。これで（６）が過大な外力を受けて変形することなく、（６）と（１５ｂ）がかみ合う動きになる。
【００７０】
（５２）は（４２）の円周上のＶ溝に作用して、本機構を非作動位置にクリック的に止めておく働きをして、通常時に振動などの付加により（１５ｂ）が移動して（６）とかみ合って余分な負荷になり、正常な運針動作に支障が出ることのないようにする。
【００７１】
次に２４時間で一回転する日回し車と時針車から回転を仲介する日回し中間車を追加した輪列方式の複数の輪列配置について説明する。図１３は秒針回転軸位置を時針と分針の回転軸から外側に外した輪列配置を示す。日回し車の位置は（Ｒ１）（Ｒ２）（Ｒ３）の三通りが可能で、日回し中間車の位置は日回し車の位置と対応して（Ｑ１）（Ｑ２）（Ｑ３）となる。輪列配置として３種類である。
【００７２】
日回し中間車は日の裏車のほぞ受け用の穴を共通使用し、日回し車は秒針車のほぞ受け用の穴を共通使用できるようにしている。これは、時針車の回転軸と２４時間で一回転する日回し車の回転軸との直線の軸間距離と、分針車の回転軸と、これとは同心とはしない配置の場合の秒針車の回転軸との直線の軸間距離とが等しくなるように、関係する歯車部材やかな部材の歯車仕様と、仲介する中間車の穴位置と日の裏車の穴位置を設定していることにより可能になっている。
【００７３】
図１４は、秒針回転軸中心位置を時針と分針の回転軸中心位置と同一位置とした輪列方式の場合の輪列配置を示している。この場合の日回し車の配置位置は（Ｒ２）（Ｒ３）（Ｒ４）（Ｒ５）の４種類が可能である。穴の利用とその理由は図１３の配列の場合と同様である。
【００７４】
図１５は図１３の線Ｄ−Ｄと図１４の線Ｅ−Ｅに相当する部分の具体的な輪列構造を示す断面図である。配置位置は異なるが全く同じ構造であるので同一図面で示した。この図で示す歯車７（５７）日回し車ボス（５８）の部品を新な部品として、また（４）（１３）（２５）（２７）（３５）（３７）（４０）の共通部品の数量追加をすることにより、本輪列は追加構成ができる。
【００７５】
（１）（２）（３）の相互の支持と固定については図示してはいないが、輪列構成などで使用していない丸穴（ｂ）が各所に多数残るので、これを適宜複数使用して行う。（１）（３）間は（１０）、（２）（３）間は（１１）、（１）（２）間は（１２）を仲介の支柱としてねじでもって固定する。
【００７６】
上述してきた輪列のムーブメントを前述の部品と部材より製作するためには、一般市場で入手が容易な工具の他に、図１６に示した簡単な工具が必要である。これらは構造も形状も簡素で、安価に製作できるレベルのものである。
【００７７】
かしめ用ポンチ１（５９）とかしめ用ポンチ２（６０）は丸棒鋼材に穴を明けもので、真鍮材やアルミ材などの軟質材料に比べて十分な硬度を有するものであれば十分に用を成す。本ポンチは（１６）（１７）（２０）（２２）（２５）（２６）（３２）（３４）（３６）（４０）（５８）のリング状かしめに使用する。
【００７８】
かしめ受け板（６１）は上述のかしめを行うときのワークの受け台として使用するもので、板状鋼材に丸穴を明けた程度のもので役を成す。
【００７９】
スペーサ１（６２）スペーサ２（６３）は厚さ精度５％程度の金属板に（３７）が余裕を持って挿入できる穴を設け、その厚みは（３７）（３８）（３９）を各所要部材に接着する場合の部材からの必要突き出し寸法に合わせる。本例の場合は２種類の突き出し寸法が必要なので、その寸法の厚みのものを設定している。
【００８０】
この他に一般工具としては、金槌、糸鋸、部材保持用の小さな万力、やすり、ドライバー、サンドペーパ程度があれば製作できる。さらに合った彫金などの特別の装飾を施したい場合には、それに合った市販の道具や工具を用いればよい。
【００８１】
更に、上述してきた輪列方式と輪列配置での時刻表示や２４時表示のほかに、日付の表示、曜日の表示を追加したムーブメントを製作したい需要には、同じ部品キットにいくつかの部品を置き換えではなく追加することでそれに応えられる。
【００８２】
図１７は曜日表示をする場合を示している。また、図１８、図１９は日付表示をする場合を示している。必要な部品は図示中（１）（２）（３）（４ａ）を除いて、番号を付している部品すべてを新規または共通部品の数量追加で用意する必要がある。しかし、（１）（２）（３）に用意している穴を使用して空きスペースに追加構成ができる。機構方式は大略公知のものであるので説明は省略する。
【００８３】
以上説明してきた実施例は、金属製の部品が主体でのものであるが、（１）から（９）や（３１）（３３）（３５）の板状部品は木製の板を材料とすることも可能であり、後加工を更に容易にし、全体に木製のイメージのムーブメントにも適用できる。
【００８４】
【発明の効果】
以上説明してきたように、本実施例は一組のムーブメント部品を使用して、幾種類もの輪列方式と輪列配置の中から好みのものを選択し製作することが出来るので、輪列などをスケルトン的に時計の意匠として利用したい場合には、その選択の自由度を高めることが出来る。
【００８５】
また、板状歯車や地板と受け用の部材は平板の単品で供給するので、糸鋸での切り込みや、たがねなどによる彫刻が容易で、装飾的なものとすることが容易に出来る。また木製として更に加工性を向上することも、趣を変えることも出来る。
【００８６】
しかも上記のような部品や部材構成にすることにより、高度な時計機能部分の設計をせず、かつ、高度な工作機械装置なども使用することなく、一般の人がムーブメントも含めて、より個性的な時計を造りたいという場合の需要を満足させることができる。
【００８７】
図２０と図２１に本特許を使用した時計ムーブメント製作用の部品キットで製作できる時計の例の正面外観図を示す。図２０はごく標準的な時刻表示の製作一例の外観図である。また図２１は秒表示を別軸にし、さらに２４時表示、曜日表示、日付表示も追加した時計の製作一例の外観図である。
【図面の簡単な説明】
【図１】地板用の下板の平面図である。
【図２】輪列受け用の中板の平面図である。
【図３】輪列受け用の上板の平面図である。
【図４】板状歯車の平面図と柱部材の半断面図である。
【図５】かな用歯車、および輪列構成用のその他の部品の半断面図とばね部材の平面図である。
【図６】針製作用部品と軸およびステッピングモータ用部品を示す平面図である。
【図７】輪列配置例１を示す概略図である。
【図８】輪列配置例２を示す概略図である。
【図９】図７の線Ａ−Ａに相当する輪列部分の断面図である。
【図１０】図７の線Ｂ−Ｂに相当する輪列部分の断面図である。
【図１１】時刻合わせ用の機構部の断面図である。
【図１２】図８の線Ｃ−Ｃに相当する輪列部分の断面図である。
【図１３】２４時表示追加の輪列配置例３を示す概略図である。
【図１４】２４時表示追加の輪列配置例４を示す概略図である。
【図１５】図１３の線Ｄ−Ｄ，および図１４の線Ｅ−Ｅに相当する輪列部分の断面図と追加で必要な部品の半断面図である。
【図１６】組み立てに必要な特殊工具を示す図である。
【図１７】曜日表示機構の平面図と側面図である。
【図１８】日付表示機構の平面図と線Ｆ−Ｆの断面図である。
【図１９】日合わせ機構の平面図と線Ｇ−Ｇの断面図である。
【図２０】本特許の時計ムーブメント製作用の部品キットを使用して製作可能な一例の正面の外観図である。
【図２１】本特許の時計ムーブメント製作用の部品キットと追加部品を使して製作可能な２４時、日付と曜日の表示を追加した一例の正面の外観図である。
【符号の説明】
１  地板用の下板
２  輪列受け用の中板
３  輪列受け用の上板
４  板歯車１
５  板歯車２
６  板歯車３
７  板歯車４
８  板歯車５
９  板歯車６
１０  支柱１
１１  支柱２
１２  支柱３
１３  歯車１
１４  歯車２
１５  歯車３
１６  歯車４
１７  歯車５
１８  歯車６
１９  センタースリーブ
２０  時針車用スリーブ
２１  分針車用スリーブ
２２  中間車用スリーブ
２３  スラスト受けリング
２４  スプリング受けリング
２５  軸受け１
２６  歯車１用ボス
２７  軸受け２
２８  ロータ磁石
２９  秒針車スラスト板ばね
３０  圧縮ばね１
３１  時針用板
３２  時針用スリーブ
３３  分針用板
３４  分針用スリーブ
３５  秒針用板
３６  秒針用スリーブ
３７  ストレートピン１
３８  ストレートピン２
３９  秒針車用ピン
４０  指示針用スリーブ
４１  時刻合わせ軸１
４２  時刻合わせ軸２
４３  時刻合わせノブ
４４  圧縮ばね２
４５  ステータ板
４６  コイルブロック
４７  駆動回路ブロック
４８  ナット１
４９  プラスチックワッシャ１
５０  ナット２
５１  回り止めピン
５２  節度ばね
５３  止めねじ１
５４  Ｅリング
５５  プラスチックワッシャ２
５６  プラスチックワッシャ３
５７  歯車７
５８  日回し車ボス１
５９  かしめ用ポンチ１
６０  かしめ用ポンチ２
６１  かしめ用受け台
６２  スペーサ１
６３  スペーサ２
６４  曜車駆動ピン
６５  曜車ゼネバ板
６６  曜車ばね
６７  曜修正ノブ
６８  日車
６９  日回しレバー
７０  日車受けリング
７１  日車ばね
７２  日修正レバー
７３  日修正ばね
７４  日修正ノブ
７５  ワッシャ
７６  ねじ
７７  日修正節度カム
７８  日修正軸
７９日回し車ボス２
【図１】
2004154295.tif 000003
【図２】
2004154295.tif 000004
【図３】
2004154295.tif 000005
【図４】
2004154295.tif 000006
【図５】
2004154295.tif 000007
【図６】
2004154295.tif 000008
【図７】
2004154295.tif 000009
【図８】
2004154295.tif 000010
【図９】
2004154295.tif 000011
【図１０】
2004154295.tif 000012
【図１１】
2004154295.tif 000013
【図１２】
2004154295.tif 000014
【図１３】
2004154295.tif 000015
【図１４】
2004154295.tif 000016
【図１５】
2004154295.tif 000017
【図１６】
2004154295.tif 000018
【図１７】
2004154295.tif 000019
【図１８】
2004154295.tif 000020
【図１９】
2004154295.tif 000021
【図２０】
2004154295.tif 000022
【図２１】
2004154295.tif 000023